(57)【要約】【課題】パッティンググリーンの微妙な傾斜乃至はアンジュレーションであっても、敏感にその状態を把握することが出来、それに対応したパッティング練習を可能ならしめると共に、パターヘッドによるボールの打ち出し方向やパターヘッドのスイング方向も容易に知ることが出来る、効果的な練習が可能な練習用ゴルフパターを提供すること。【解決手段】パターヘッド（１０）の平坦な上面に、透明な天板部と内面が平坦な底板部を有し、中空の内部に自由に転動し得る球体を収容してなる浅底の中空容器（２０）を、該中空容器（２０）の中心が該パターヘッド（１０）のスイートスポットを通るセンターライン（１６）上に位置するようにして、且つ前記底板部の内面が水平となるようにして、取り付けた。【選択図】図１
0003160374.tif 000002
【実用新案登録請求の範囲】
【請求項１】
パターヘッドの平坦な上面に対して、透明な天板部と内面が平坦な底板部とを有し、中空の内部に自由に転動し得る球体を収容してなる浅底の中空容器を、該中空容器の中心が該パターヘッドのスイートスポットを通るセンターライン上に位置するようにして、且つ前記底板部の内面が水平となるようにして、取り付けてなることを特徴とする練習用ゴルフパター。
【請求項２】
前記中空容器における底板部の内面上に、前記中心を通る主方向指示ラインが前記センターラインに一致して位置するように設けられていると共に、該主方向指示ラインの両側に、それぞれ、所定の距離を隔てて少なくとも１本の副方向指示ラインが互いに平行に設けられている請求項１に記載の練習用ゴルフパター。
【請求項３】
前記中空容器における底板部の内面上に、前記中心を通り且つ前記センターラインに直交する主ボール位置指示ラインが設けられていると共に、該主ボール位置指示ラインの両側に、それぞれ、所定の距離を隔てて少なくとも１本の副ボール位置指示ラインが互いに平行に設けられている請求項１又は請求項２に記載の練習用ゴルフパター。
【請求項４】
前記球体が、樹脂製である請求項１乃至請求項３の何れか１項に記載の練習用ゴルフパター。
【請求項５】
前記中空容器が、樹脂製である請求項１乃至請求項４の何れか１項に記載の練習用ゴルフパター。
【請求項６】
前記中空容器が、円筒形状を呈している請求項１乃至請求項５の何れか１項に記載の練習用ゴルフパター。
【考案の詳細な説明】
【技術分野】
【０００１】
本考案は、練習用ゴルフパター（クラブ）に係り、特に、グリーンの傾斜やアンジュレーションを知って、それに応じたパッティング練習を可能としたり、パッティングに際してのボールの打ち出し方向やスイング方向を容易に知ることの出来る練習用ゴルフパターに関するものである。
【背景技術】
【０００２】
従来から、パッティンググリーンの傾斜の如き変化の状態を知って、その傾斜状態等に応じたパッティング練習が出来るようにした各種のゴルフパター（クラブ）が提案されており、例えば、特開平１１−３４７１６７号公報や特開２００７−５５９号公報、更には実用新案登録第３１１０３２２号公報等において、その一例を見出すことが出来る。そして、それら公報に開示のゴルフパターは、何れも、液体中に気泡を封入してなる水準器をパターヘッドに設けてなるものであって、そこでは、パッティンググリーンの傾斜に対応して、パターヘッドが傾斜することによって、水準器内の気泡が移動することとなるところから、そのような気泡の移動方向・位置を観察して、パッティンググリーンの傾斜状態を知り、それに基づいてパッティングを行なうようになっている。
【０００３】
しかしながら、そのような水準器を設けてなるゴルフパターにあっては、パッティンググリーンの傾斜が緩やかになると、水準器内に封入されている気泡の移動距離が少なく、また移動速度も遅くなり、甚だしい場合にあっては、気泡が移動せず、そのために、傾斜状態を正確に把握することが出来ない場合があった。また、パッティンググリーンの傾斜乃至はアンジュレーションが極めて微妙であるときには、そのような水準器では感知され得ず、そのために、パッティンググリーンが平坦であるとしてパッティングしてしまう恐れもあったのである。
【０００４】
また、かかるゴルフパターに設けた水準器は、あくまでも、パッティンググリーンの傾斜に対応した、水準器内の気泡の移動に基づいて、かかるグリーンの傾斜状態を把握するようにしたに過ぎないものであって、そのようなゴルフパターによってパッティングした際における、ボールの打ち出し方向やパタークラブのスイング方向を把握することは、極めて困難なことであった。而して、パッティング練習において、パタークラブのパターヘッドにて打ち出されるボールの打ち出し方向や、パタースイングによって移動するパターヘッドの移動方向（スイング方向）を知ることは、ボールを狙った方向に転がし、目的とするカップに入れる上において重要なことであり、そのための練習を、ゴルファーは常に行なっているのである。
【先行技術文献】
【特許文献】
【０００５】
【特許文献１】特開平１１−３４７１６７号公報
【特許文献２】特開２００７−５５９号公報
【特許文献３】実用新案登録第３１１０３２２号公報
【考案の概要】
【考案が解決しようとする課題】
【０００６】
ここにおいて、本考案は、かかる事情を背景にして為されたものであって、その解決課題とするところは、パッティンググリーンの微妙な傾斜乃至はアンジュレーションであっても、敏感にその状態を把握することが出来、それに対応したパッティング練習を可能ならしめると共に、パターヘッドによるボールの打ち出し方向やパターヘッドのスイング方向も容易に知ることが出来る、効果的な練習が可能な練習用ゴルフパターを提供することにある。
【課題を解決するための手段】
【０００７】
そして、本考案にあっては、かくの如き課題の解決のために、パターヘッドの平坦な上面に対して、透明な天板部と内面が平坦な底板部とを有し、中空の内部に自由に転動し得る球体を収容してなる浅底の中空容器を、該中空容器の中心が該パターヘッドのスイートスポットを通るセンターライン上に位置するようにして、且つ前記底板部の内面が水平となるようにして、取り付けてなることを特徴とする練習用ゴルフパターを、その要旨とするものである。
【０００８】
なお、このような本考案に従う練習用ゴルフパターの望ましい態様の一つによれば、前記中空容器における底板部の内面上に、前記中心を通る主方向指示ラインが前記センターラインに一致して位置するように設けられていると共に、該主方向指示ラインの両側に、それぞれ、所定の距離を隔てて少なくとも１本の副方向指示ラインが互いに平行に設けられている構成が、有利に採用されることとなる。
【０００９】
また、本考案の望ましい態様の他の一つによれば、前記中空容器における底板部の内面上に、前記中心を通り且つ前記センターラインに直交する主ボール位置指示ラインが設けられていると共に、該主ボール位置指示ラインの両側に、それぞれ、所定の距離を隔てて少なくとも１本の副ボール位置指示ラインが互いに平行に設けられている。
【００１０】
さらに、本考案に従う練習用ゴルフパターにあっては、望ましくは、前記球体が樹脂製であり、また、中空容器は樹脂製である。更にまた、中空容器は、円筒形状を呈していることが、望ましいのである。
【考案の効果】
【００１１】
このように、本考案に従う練習用ゴルフパターにあっては、液体中に気泡を封入してなる従来の水準器に代わり、内部空間内において自由に転動し得る球体を収容した中空容器が、パターヘッドに水平に取り付けられてなるものであるところから、パッティンググリーンの微妙な傾斜乃至はアンジュレーションに対応して、パターヘッドが僅かに傾斜しても、中空容器内において、球体が、その傾斜方向に転動するようになるところから、かかるグリーンの微妙な傾斜やアンジュレーションが、迅速に且つ効果的に把握され得ることとなるのであり、そして、それに基づいて、有効な各種のパッティング練習が可能となるのである。
【００１２】
しかも、そのようなパターヘッドの上面に取り付けられた中空容器内に収容されている球体は、パッティングに際してのパターヘッドの移動方向に対応して、また、パターヘッドによる打球時における衝撃方向、換言すればボールの打ち出し方向に対応して、底板部の平坦な内面上を転動するようになるところから、その転動方向に基づいて、パッティングスイングの良否やボールの打ち出し方向の良否を判定し、より良いパッティングスイングやボールの打ち出し方向となるように練習することが可能となったのである。
【図面の簡単な説明】
【００１３】
【図１】本考案に係る練習用ゴルフパターの一例におけるパターヘッド部分の平面説明図である。
【図２】図１に示されるゴルフパターの右側面説明図である。
【図３】図１及び図２に示されるゴルフパターに取り付けられる中空容器において、その天板部を取り外した状態における平面説明図である。
【図４】図３に示される中空容器において、そのＡ−Ａ断面を示す説明図である。
【図５】図３に示される中空容器の底板部において、その平坦な内面に係る平面説明図である。
【考案を実施するための形態】
【００１４】
以下、本考案を更に具体的に明らかにするために、本考案の実施の形態について、図面を参照しつつ、詳細に説明することとする。
【００１５】
先ず、本考案に従う練習用ゴルフパター（パタークラブ）の一実施形態を示す図１及び図２において、１０は、右利き用として構成された、鉄等の公知の材質からなるパターヘッド（パター本体）であって、その左側面である打球面１２にて、図示しないボールが、図１において左方向に打ち出されるようになっている。即ち、かかるパターヘッド１０の上面には、それから斜め上方に延び出すシャフト１４が、一体的に立設、固定せしめられており、更に、このシャフト１４の上端部に取り付けたグリップ（図示せず）を把持してスイングすることにより、ボールが、図１において左方向に打ち出されるようになっているのである。
【００１６】
そして、かかるパターヘッド１０の上面には、スイートスポットを通るセンターライン１６が、パターヘッド１０の左右方向に（図１において）刻設されており、このセンターライン１６上に位置する打球面１２位置において打球することにより、ボールが最も良く転がり得るようになっている。
【００１７】
また、かかるパターヘッド１０には、そのボール打ち出し方向後方側に、所定距離水平方向に延び出す平坦な上面を有する板状の後方延長部１８が、一体的に設けられている。そして、この後方延長部１８の平坦な上面に対して、背の低い円筒形状を呈する、浅底の中空容器２０が、その中心をセンターライン１６の延長線上に位置するようにして、適当な接着剤等によって接着、固定せしめられているのである。
【００１８】
すなわち、中空容器２０は、図３及び図４に示されるように、透明な円形の天板部２２と、内面が平坦な円形の底板部２４と、それら天板部２２及び底板部２４の周縁部をそれぞれ連結して、内部に密閉された空間を形成する背の低い円筒形状の周壁部２６とから、直径よりも高さの低い（ここでは、直径：２５ｍｍ、高さ：５ｍｍ）浅底の樹脂製の容器として形成されている。そして、この中空容器２０内には、ここでは、樹脂製の球体２８が収容されていると共に、その底板部２４の平坦な内面が水平となるように、中空容器２０が、パターヘッド１０の後方延長部１８上に接着剤や両面テープ等によって固設されている。なお、球体２８は、ここでは、直径が１ｍｍのものとされているが、一般に０．５〜２ｍｍ程度の直径のものが用いられることとなる。
【００１９】
しかも、かかる中空容器２０の底板部２４の内面（上面）には、図３に示されている如く、中空容器２０の中心：Ｏを通る主方向指示ラインＬ１が、ボールの打ち出し方向に設けられており、パターヘッド１０への中空容器２０の取り付けに際して、パターヘッド１０のセンターライン１６とかかる主方向指示ラインＬ１とが一致するように、換言すればそれら両ラインが平面視（図１の状態）において同一ライン上に位置するように、配されることとなる。そして、この主方向指示ラインＬ１の両側に、それぞれ所定の距離（ここでは、７ｍｍ）を隔てて、ここでは、各１本の副方向指示ラインＬ３、Ｌ４が、互いに平行に設けられている。また、かかる主方向指示ラインＬ１に直交する主ボール位置指示ラインＬ２が、中空容器２０の中心：Ｏを通って設けられていると共に、その両側に、それぞれ所定の距離（ここでは、２ｍｍ）を隔てて、ここでは、各１本の副ボール位置指示ラインＬ５、Ｌ６が設けられているのである。
【００２０】
従って、かくの如き構成の中空容器２０を、パターヘッド１０の後方延長部１８の平坦な上面に取り付けてなる状態において、パッティングする際、パッティンググリーン面が完全に平坦な水平面であるときには、ボール２８は、中空容器２０の中心：Ｏの位置に位置しているが、グリーン面に微妙な傾斜乃至はアンジュレーションが存在すると、それに対応して、パターヘッド１０が前後左右に傾き、それに基づいて、中空容器２０の底板部２４の内面も傾くようになるところから、それによって、かかる内面上において球体２８が自由に転動し得る状態に載っているところから、そのような底板部２４の内面の傾きに応じて、球体２８は、容易に転動するようになるのであり、そして、それに基づいて、パッティング練習が効果的に行なわれ得るのである。
【００２１】
すなわち、ここでは、主方向指示ラインＬ１及び副方向指示ラインＬ３、Ｌ４と、主ボール位置指示ラインＬ２及び副ボール位置指示ラインＬ５、Ｌ６とが、碁盤目状に設けられているところから、それらのラインの支点を利用して、各種のパッティング練習が行なわれ得るのである。
【００２２】
例えば、先ず、グリーン面が傾斜やアンジュレーションのない平坦な水平面であるときには、ボールを、パターヘッド１０のセンターライン１６に合わせ、そして、図５において、中空容器２０内の球体２８の位置を中心：Ｏに一致させて、パッティングを行なうようにすれば、ボールを強く転がすことの出来るパッティング練習を行なうことが出来るのである。
【００２３】
また、グリーン面が傾斜してフックラインとなる場合においては、球体２８を、図５において、副方向指示ラインＬ４と主ボール位置指示ラインＬ２との交点位置：Ｐ４に位置せしめて、パッティングするようにすれば、ボールにはスライス回転が掛かって、ラインを消し、ストレートに転がす練習が出来るのであり、また、スライスラインの場合には、球体２８を、副方向指示ラインＬ３と主ボール位置指示ラインＬ２との交点位置：Ｐ３に位置せしめて、パッティングするようにすれば、フック回転が掛かって、ストレートに転がすことの出来る練習が出来ることとなる。
【００２４】
さらに、ラインが上りや下りの場合にあっても、図５において、副ボール位置指示ラインＬ５、Ｌ６と主方向指示ラインＬ１との交点位置Ｐ５、Ｐ６を利用して、有効なパッティング練習を行なうことが出来る。例えば、下りのパッティングラインのときには、球体２８をＰ５の位置に合わせることにより、また、上りのラインのときには、球体２８をＰ６位置に合わせてパッティングをすれば、ボールを平らなラインと同じようにヒットして転がすことが出来るようになる。
【００２５】
加えて、上記の如き場合のみならず、方向指示ラインＬ１、Ｌ３、Ｌ４とボール位置指示ラインＬ２、Ｌ５、Ｌ６との他の交点位置を用いて、球体２８を、その選択された交点位置に位置せしめて、パッティング練習を行なったり、また、副方向指示ラインや副ボール位置指示ラインの本数を増やして、前述の如き交点位置が多数選択出来るようにすれば、更に複雑なパッティング練習が可能となるのである。
【００２６】
しかも、かくの如き中空容器２０を取り付けてなるパターヘッド１０を有するゴルフパターにあっては、中空容器２０の底板部２４の内面を球体２８が自由に転動するようになっているところから、パッティングのスイングに伴なって、球体２８が底板部２４上を容易に転動するようになるのであり、これによって、その転動（移動）方向を把握すれば、そのときのパッティングのスイングが正しい方向であったのか、どうかを、容易に把握することが出来ることとなるのであり、また、ボールの打球時における衝撃によって、ボールの打ち出し方向に対応した方向に球体２８が移動せしめられるところから、そのようなボールの移動方向を把握すれば、また、正しい打ち出し方向であったのか、どうかについても、容易に確認することが出来る特徴も発揮することとなる。従って、それらの場合における球体２８の転がりが正しい方向となるように練習することによって、正しいパッティングスイングや正しいボールの打ち出し方向が容易に会得され得るのである。
【００２７】
以上、本考案の代表的な実施形態について詳述してきたが、それは、あくまでも、例示に過ぎないものであって、本考案が、そのような例示の実施形態に係る具体的な記述によって、何等限定的に解釈されるものではないことが、理解されるべきである。
【００２８】
例えば、例示の実施態様においては、右利き用のゴルフパターへの適用例が示されているのであるが、本考案が、左利き用のゴルフパターにも、同様に適用され得るものであることは、言うまでもないところである。左利き用のゴルフパターには、右利き用のパターとは対称的な構成が、採用されることとなる。
【００２９】
また、中空容器２０や球体２８の材質にあっても、樹脂製とすることが、中空容器２０の内面の汚れを効果的に抑制乃至は回避し、また磁気を帯びて、球体２８の転動が阻害されないようにする上において、極めて有効とするところであるが、本考案の作用・効果に悪影響をもたらさない限りにおいて、それらの何れか一方又は両方を金属製とすることも可能である。
【００３０】
さらに、中空容器２０の形状にあっても、例示の如き円形の平面形状を呈するものの他、楕円形状等の平面形状を呈するものであっても、何等差し支えなく、その大きさは、球体２８のサイズと共に、適宜の寸法が採用され得るところであり、加えて、副方向指示ラインＬ３、Ｌ４の間隔や、それらの本数、副ボール位置指示ラインＬ５、Ｌ６の本数や、それらの間隔は、何れも、適宜に選択されることとなる。
【００３１】
更にまた、本考案に従って、中空容器２０が取り付けられるパターヘッド１０の形状としても、例示のものに何等限定されるものではなく、公知の各種の形状を対象とすることが出来るが、特に、マレット型と称される形状のパターヘッドに対して、本考案を好適に適用することが出来る。
【００３２】
その他、一々列挙はしないが、本考案は、当業者の知識に基づいて種々なる変更、修正、改良等を加えた態様において実施され得るものであり、そして、そのような実施の態様が、本考案の趣旨を逸脱しない限りにおいて、何れも、本考案の範疇に属するものであることは、言うまでもないところである。
【符号の説明】
【００３３】
１０    パターヘッド              １２    打球面
１４    シャフト                  １６    センターライン
１８    後方延長部                ２０    中空容器
２２    天板部                    ２４    底板部
２６    周壁部                    ２８    球体
Ｌ１    主方向指示ライン          Ｌ２    主ボール位置指示ライン
Ｌ３，Ｌ４  副方向指示ライン      Ｌ５，Ｌ６  副ボール位置指示ライン
【図１】
0003160374.tif 000003
【図２】
0003160374.tif 000004
【図３】
0003160374.tif 000005
【図４】
0003160374.tif 000006
【図５】
0003160374.tif 000007